(57)【要約】 【課題】 従来のネイル技術練習用具は，ネイルチップを手形模型に貼付けたり，剥離したりする必要があり、練習以外の時間を要するため，練習効率が悪かった。手形模型も大きく携帯に不便であった。【解決手段】本発明のネイル技術練習具は，皮膚部（５）と爪甲部（２）を一体に構成した指先形状のネイルチップ（１）であり，キューティクルライン（３）やネイルウォール（４）を形成しているので，ファイリングやカラーリング及びイクステンション等のネイル技術の練習に最適であり，また，小型軽量のため携帯に便利である。【選択図】  図１
2014014547.tif 000002
【特許請求の範囲】
【請求項１】
人間の皮膚部（５）と爪甲部（２）を一体に構成した指先形状のネイ
ルチップ（１）であって、前記ネイルチップ（１）にはキューティクルライン（３）及びネイルウォール（４）を形成したことを特徴とするネイル技術練習具。
【請求項２】
ファイリング及びカラーリング用のネイルチップ（１）は爪甲部（２）を皮膚部（５）から突出させるとともに，前記爪甲部（２）の先端部を直線状に形成したことを特徴とする請求項１に記載のネイル技術練習具。
【請求項３】
前記ネイルチップ（１）を爪甲部（２）の先端から略遠位指節間関節までの長さにしたことを特徴とする請求項１又は２に記載のネイル技術練習具。
【請求項４】
イクステンション用のネイルチップ（１）は爪甲部（２）を皮膚部（５）と面一とし、前記爪甲部（２）の先端部を指先形状に合わせて略円弧状に形成したことを特徴とする請求項１に記載のネイル技術練習具。
【請求項５】
前記ネイルチップ（１）を爪甲部（２）の先端から略近位指節間関節までの長さにしたことを特徴とする請求項１又は４に記載のネイル技術練習具。
【請求項６】
前記指先形状をしたネイルチップ（１）の手の甲側の形を合成樹脂により、立体的に形成するとともに、手のひら側を空洞にしたことを特徴とする請求項１乃至５のいずれか１項に記載のネイル技術練習具。
【発明の詳細な説明】
【技術分野】
【０００１】
本発明は，ネイルのカラーリング及び，イクステンション(爪の造形)等、ネイルに係る技術を習得するために用いるネイル技術練習具に関する。
【背景技術】
【０００２】
ネイルのカラーリング及びイクステンションの練習を行うための用具として，特許文献１に記載のネイル技術練習用具が開示されている。該ネイル技術練習用具は指先部を所望の方向に変位可能であり，爪床にネイルチップを挿脱可能に挿装してネイル技術の練習を行うようにしている。また，特許文献２にはネイル技術の練習を行う人の手形状をした模型が開示されている。該模型は５本の指の爪が全て上を向いた形状であるため，該模型を傾けなくてもマニキュアやジェルのカラーリング，イクステンション等のネイル技術の練習が行えるようにしている。
【先行技術文献】
【特許文献】
【０００３】
【特許文献１】特開２００６−３２０４５１号公報
【特許文献２】特開２００８−０９３２１２号公報
【発明の概要】
【発明が解決しようとする課題】
【０００４】
前記特許文献１に記載のネイル技術練習用具は、指先部と第２指部がそれぞれ上下方向に屈曲自在となるように，第一関節及び第二関節を配設しており，機構が複雑で繰り返しの使用によって，関節部に緩みが生じ指先部がぐらつく恐れがある。また，ネイル技術の練習後には貼り付けたネイルチップを取り外し，指先部に付着した両面テープやグルー（ネイル専用の接着剤）等を剥離する必要があるため，肝心のネイル技術の練習以外の時間を要するという課題がある。また，特許文献２に記載の模型は人の手形状部とその周囲の平坦部とを一体に成型しているので，模型自体が大きく持ち運びに不便である。また，特許文献１と同様にネイル技術の練習後には貼り付けたネイルチップを取り外し，指先部に付着した両面テープやグルー等を剥離する必要があるため，肝心のネイル技術の練習以外の時間を要するという課題がある。そして、ネイリスト検定を取得するためには、たくさんの練習を行う必要があるため、使い捨てにするには高価すぎるという課題がある。
【課題を解決するための手段】
【０００５】
上記課題を解決するために本願発明のネイル技術練習具では、人間の皮膚部と爪甲部を一体に構成した指先形状のネイルチップであって、前記ネイルチップにはキューティクル（甘皮）ライン及びネイルウォール（爪郭）を形成したことを特徴とするネイル技術練習具である。
【０００６】
また，本願発明のネイルチップは爪甲部を皮膚部から突出させるとともに，前記爪甲部の先端部を直線状に形成しているので、ファイリング（爪ヤスリを使って、爪の長さや形態を整える事）及びカラーリングの練習に好適なネイル技術練習具である。
【０００７】
また，本願発明のネイルチップは皮膚部を指先から略遠位指節間関節までの長さにしたことを特徴とするネイル技術練習具である。
【０００８】
また，本願発明のネイルチップは爪甲部を皮膚部と面一とし、前記爪甲部の先端部を指先形状に合わせて略円弧状に形成しているので、イクステンションの練習に好適なネイル技術練習具である。
【０００９】
また，本願発明のネイルチップは皮膚部を指先から略近位指節間関節までの長さにしたことを特徴とするネイル技術練習具である。
【００１０】
また、本願発明のネイル技術練習具では、指先形状をしたネイルチップの手の甲側の形を合成樹脂により、立体的に形成するとともに、手のひら側を空洞にしたことを特徴とするネイル技術練習具である。
【発明の効果】
【００１１】
本願発明に係るネイル技術練習具は，皮膚部と爪甲部を一体に構成した指先形状をしたネイルチップであり，キューティクルライン及びネイルウォールも形成しているので，キューティクルラインやネイルウォールに沿ってマニキュア塗布の練習を行うことができ，且つ，塗りむら等の確認が容易であるという効果を奏する。
【００１２】
また，爪甲部を皮膚部から突出又は面一としているので、フリーエッジや表面のファイリングの練習やイクステンション等の練習も行うことができる。そして，両手を使用する必要があるネイル技術の練習を行う際には，前記ネイルチップを市販のチップスタンドにセットすれば，自由に両手を使用してネイル技術の練習が容易に行えるという効果も奏する。さらに，前記ネイルチップは軽量でコンパクトであるため，携帯が容易であるという効果も奏するものである。
【図面の簡単な説明】
【００１３】
【図１】本発明に係るネイルチップ(ファイリング及びカラーリング用)の平面図である。
【図２】本発明に係るネイルチップ(イクステンション用)の平面図である。
【図３】図１におけるＡ正面図である。
【図４】図２におけるＡ正面図である。
【発明を実施するための形態】
【００１４】
以下，本発明の実施形態を図面に基づいて詳述する。図１は本発明のネイル技術練習具のうち，ファイリング及びカラーリング練習用のネイルチップを上部から見た平面図である。図中の符号１はネイルチップであり，人間の指の遠位指節間関節から指先及び爪甲部２の先端までの形状をしている。該ネイルチップ１の全長は３〜５ｃｍ程度としており、更には３．５ｃｍ程度とするのがより好適であり，該爪甲部２と皮膚部５とを一体に成形している。該ネイルチップ１には，人間の指と同様なキューティクルライン３とネイルウォール４を形成している。該爪甲部２は皮膚部５の指先から３〜８ｍｍ程度突出させており、更には５ｍｍ程度とするのがより好適であり、該爪甲部２の先端を直線状に形成している。該爪甲部２をファイリング練習に用いるものである。また，前記キューティクルライン３とネイルウォール４部を設けたことによって，皮膚部５と爪甲部２の境にカラーリングの練習が行え，ネイルカラーが爪甲部２だけにうまく塗布できているか，あるいは皮膚部５にネイルカラーが付着していないか等の確認が容易に行えるものである。
【００１５】
図２は本発明のネイル技術練習具のうち，イクステンション用のネイルチップを上部から見た平面図である。図中の符号１はネイルチップであり，人間の指の近位指節間関節から指先及び爪甲部２の先端までの形状をしている。該ネイルチップ１の全長は３．５〜６．５ｃｍ程度としており、更には４．５ｃｍ程度とするのがより好適であり、該爪甲部２と皮膚部５とを一体に成形している。該ネイルチップ１には，人間の指と同様なキューティクルライン３とネイルウォール４を形成している。該爪甲部２は皮膚部５の指先からイエローライン（自爪の爪先と爪床の境目の部分）に沿って円弧状に形成している。皮膚部５を長くすることにより，手形状模型及びCカーブスティックを使用せず，市販のネイルフォームを装着するだけで，イクステンションの練習が容易にできる。
【００１６】
図３は図１のＡ方向より見た正面図であり、前記ネイルチップ１は合成樹脂により、立体的に形成しており、手のひら側を空洞にした、略円弧状をしている。該ネイルチップ１は金型を用いて射出成形加工により製造する場合には、前記合成樹脂は熱可塑性樹脂が好適であり、マニキュア塗布の練習用としては、低分子量の樹脂のほうがより好適であるが、他の製造方法（押出成形加工等）で製造する際は前記熱可塑性樹脂に限定するものではない。
【００１７】
図４は図２のＡ方向より見た正面図であり、前記ネイルチップ１は合成樹脂により、立体的に形成しており、手のひら側を空洞とし、略円弧状をした皮膚部５の両側面を円周方向に沿って延出させている。該ネイルチップ１は金型を用いて射出成形加工により製造する場合には、前記合成樹脂は熱可塑性樹脂が好適であり、イクステンションの練習用としては、低分子量の樹脂のほうがより好適であるが、他の製造方法（押出成形加工等）で製造する際は前記熱可塑性樹脂に限定するものではない。
【産業上の利用可能性】
【００１８】
ネイルチップの形状を皮膚部と爪甲部とを一体にした指先形状としたので，ネイリスト検定に必要なファイリング，カラーリング，イクステンション，さらにネイルアート等のネイル技術全般の練習にも適用できる。
【符号の説明】
【００１９】
１  ネイルチップ
２  爪甲部
３  キューティクルライン
４  ネイルウォール
５  皮膚部
【図１】
2014014547.tif 000003
【図２】
2014014547.tif 000004
【図３】
2014014547.tif 000005
【図４】
2014014547.tif 000006